(57)【要約】【課題】二次電池に不良が発生したことを利用者に通知することで安全性を向上させることが可能な携帯機器、電池パック、通知方法、通知プログラムを提供することを目的としている。【解決手段】本発明は、不良ＩＤ情報を受信すると二次電池の監視ＩＣに記憶された電池ＩＤが不良ＩＤ情報に含まれるか否かを判断し、電池ＩＤが不良ＩＤ情報に含まれる場合は二次電池が不良であることを警告するメッセージを表示する。【選択図】図５
2011018560.tif 000002
【特許請求の範囲】
【請求項１】
充放電可能な二次電池により駆動され、前記二次電池の識別情報が記憶された記憶回路が実装された電池パックを内蔵する携帯機器であって、
不良ＩＤ情報配信機関から配信される不良電池情報を受信する不良電池情報受信手段と、
前記記憶回路に記憶された前記二次電池の識別情報の取得要求を行う要求手段と、
前記不良電池情報に前記二次電池の識別情報が含まれるか否かを判定する判定手段と、
前記判定手段により前記二次電池の識別情報が前記不良電池情報に含まれると判定されたとき、前記二次電池の不良を通知する通知制御手段と、を有する携帯機器。
【請求項２】
当該携帯機器は、表示手段を有し、
前記通知制御手段は、
前記表示手段に前記二次電池の不良を通知する表示を行う請求項１記載の携帯機器。
【請求項３】
前記通知制御手段は、
前記表示手段に、前記不良ＩＤ情報配信機関から受信した当該携帯機器の現在地情報と前記二次電池の交換が可能な場所の位置情報とを含む地図情報と、前記二次電池の不良の通知とを表示させる請求項２記載の携帯機器。
【請求項４】
当該携帯機器は、振動発生手段を有し、
前記通知制御手段は、
前記振動発生手段により振動を発生させて前記二次電池の不良を通知する請求項１ないし３の何れか一項に記載の携帯機器。
【請求項５】
充放電可能な二次電池により駆動され、前記二次電池の識別情報が記憶された記憶回路が実装された電池パックを内蔵する携帯機器による通知方法であって、
不良ＩＤ情報配信機関から配信される不良電池情報を受信する不良電池情報受信手順と、
前記記憶回路に記憶された前記二次電池の識別情報の取得要求を行う要求手順と、
前記不良電池情報に前記二次電池の識別情報が含まれるか否かを判定する判定手順と、
前記判定手順により前記二次電池の識別情報が前記不良電池情報に含まれると判定されたとき、前記二次電池の不良を通知する通知制御手順と、を有する通知方法。
【請求項６】
充放電可能な二次電池により駆動され、前記二次電池の識別情報が記憶された記憶回路が実装された電池パックを内蔵する携帯機器により実行される通知プログラムであって、
前記携帯機器に、
不良ＩＤ情報配信機関から配信される不良電池情報を受信する不良電池情報受信ステップと、
前記記憶回路に記憶された前記二次電池の識別情報の取得要求を行う要求ステップと、
前記不良電池情報に前記二次電池の識別情報が含まれるか否かを判定する判定ステップと、
前記判定ステップにおいて前記二次電池の識別情報が前記不良電池情報に含まれると判定されたとき、前記二次電池の不良を通知する通知制御ステップと、を実行させる通知プログラム。
【請求項７】
充放電可能な二次電池の識別情報が記憶された記憶回路が実装された電池パックであって、
不良ＩＤ情報配信機関から配信される不良電池情報を受信する不良電池情報受信手段と、
前記記憶回路に記憶された前記二次電池の識別情報の取得要求を行う要求手段と、
前記不良電池情報に前記二次電池の識別情報が含まれるか否かを判定する判定手段と、
前記判定手段により前記二次電池の識別情報が前記不良電池情報に含まれると判定されたとき、前記二次電池の不良を通知する通知制御手段と、を有する携帯機器を駆動する電池パック。
【発明の詳細な説明】
【技術分野】
【０００１】
本発明は、充放電可能な二次電池により駆動され、前記二次電池の識別情報が記憶された記憶回路が実装された電池パックを内蔵する携帯機器、携帯機器による通知方法、電池パック、携帯機器において実行される通知プログラムに関する。
【背景技術】
【０００２】
近年では、リチウムイオン電池等の二次電池で駆動するデジタルカメラや携帯電話等の携帯機器が普及している。リチウムイオン電池等の二次電池は、使用上の安全性を確保するために保護回路が備えられた電池パックの形態で使用される。例えば特許文献１には、保護回路が備えられた電池パックが搭載された携帯機器が記載されている。
【０００３】
ところで、保護回路が備えられた電池パックにおいて、例えば二次電池に不良が発生した場合、保護回路が備えられていても使用上の安全を確保できないため、二次電池を交換する必要がある。
【０００４】
二次電池の不良は、例えば二次電池が携帯機器に搭載された状態で市場に出荷された後に発生する場合がある。二次電池が市場に出荷された後に不良が発生した場合、例えばニュース等で不良が発生した二次電池を特定する情報（例えば製造番号等）が公開される。利用者は、公開された情報に基づき、利用者自身が使用する携帯機器に内蔵された二次電池が不良品か否かを確認し、不良品である場合は最寄りのサービスセンタ等で交換していた。
【先行技術文献】
【特許文献】
【０００５】
【特許文献１】特開２００１−１６９４６５号公報
【発明の概要】
【発明が解決しようとする課題】
【０００６】
しかしながら上記従来の方法では、例えば利用者に不良が発生した二次電池を特定する情報が伝わらない場合には、不良が発生した二次電池を使い続けることになり、使用上の安全を確保できない。また利用者に二次電池の不良に関する情報が伝わった場合も、利用者が自ら二次電池を携帯機器から取り出し、二次電池に貼り付けられたシール等を見て二次電池の製造番号を確認し、不良品を特定する情報と照合させなければならず、手間がかかる。
【０００７】
本発明は、上記事情を鑑みてこれを解決すべくなされたものであり、二次電池に不良が発生したことを利用者に通知することで安全性を向上させることが可能な携帯機器、電池パック、通知方法、通知プログラムを提供することを目的としている。
【課題を解決するための手段】
【０００８】
本発明は、上記目的を達成すべく、以下の如き構成を採用した。
【０００９】
本発明は、充放電可能な二次電池（２１１）により駆動され、前記二次電（２１１）の識別情報が記憶された記憶回路（２２４）が実装された電池パッ（２００）を内蔵する携帯機器（１００）であって、
不良ＩＤ情報配信機関から配信される不良電池情報を受信する不良電池情報受信手段（１１０）と、
前記記憶回路（２２４）に記憶された前記二次電池（２１１）の識別情報の取得要求を行う要求手段（１２０）と、
前記不良電池情報に前記二次電池（２１１）の識別情報が含まれるか否かを判定する判定手段（１３０）と、
前記判定手段（１３０）により前記二次電池（２１１）の識別情報が前記不良電池情報に含まれると判定されたとき、前記二次電池（２１１）の不良を通知する通知制御手段（１４０）と、を有する構成とした。
【００１０】
また本発明の携帯機器は、表示手段（１２）を有し、
前記通知制御手段（１４０）は、
前記表示手段（１２）に前記二次電池（２１１）の不良を通知する表示を行う構成とした。
【００１１】
また本発明の携帯機器において、前記通知制御手段（１４０）は、
前記表示手段（１２）に、前記不良ＩＤ情報配信機関から受信した当該携帯機器（１００）の現在地情報（１２ｅ）と前記二次電池（２１１）の交換が可能な場所の位置情報（１２ｆ）とを含む地図情報（１２Ｄ）と、前記二次電池（２１１）の不良の通知とを表示させる構成とした。
【００１２】
また本発明の携帯機器は、振動発生手段を有し、
前記通知制御手段（１４０）は、
前記振動発生手段により振動を発生させて前記二次電池（２１１）の不良を通知する構成とした。
【００１３】
本発明は、充放電可能な二次電池（２１１）により駆動され、前記二次電池（２１１）の識別情報が記憶された記憶回路（２２４）が実装された電池パック（２００）を内蔵する携帯機器（１００）による通知方法であって、
不良ＩＤ情報配信機関から配信される不良電池情報を受信する不良電池情報受信手順（Ｓ５１）と、
前記記憶回路（２２４）に記憶された前記二次電池（２１１）の識別情報の取得要求を行う要求手順（Ｓ５２）と、
前記不良電池情報に前記二次電池（２１１）の識別情報が含まれるか否かを判定する判定手順（Ｓ５３）と、
前記判定手順（Ｓ５３）により前記二次電池（２１１）の識別情報が前記不良電池情報に含まれると判定されたとき、前記二次電池（２１１）の不良を通知する通知制御手順（Ｓ５４）と、を有する方法とした。
【００１４】
本発明は、充放電可能な二次電池（２１１）により駆動され、前記二次電池（２１１）の識別情報が記憶された記憶回路（２２４）が実装された電池パック（２００）を内蔵する携帯機器（１００）により実行される通知プログラムであって、
前記携帯機器（１００）に、
不良ＩＤ情報配信機関から配信される不良電池情報を受信する不良電池情報受信ステップ（Ｓ５１）と、
前記記憶回路（２２４）に記憶された前記二次電池（２１１）の識別情報の取得要求を行う要求ステップ（Ｓ５２）と、
前記不良電池情報に前記二次電池（２１１）の識別情報が含まれるか否かを判定する判定ステップ（Ｓ５３）と、
前記判定ステップ（Ｓ５３）において前記二次電池（２１１）の識別情報が前記不良電池情報に含まれると判定されたとき、前記二次電池（２１１）の不良を通知する通知制御ステップ（Ｓ５４）と、を実行させるプログラムとした。
【００１５】
本発明は、充放電可能な二次電池（２１１）の識別情報が記憶された記憶回路（２２４）が実装された電池パック（２００）であって、
不良ＩＤ情報配信機関から配信される不良電池情報を受信する不良電池情報受信手段（１１０）と、
前記記憶回路（２２４）に記憶された前記二次電池（２１１）の識別情報の取得要求を行う要求手段（１２０）と、
前記不良電池情報に前記二次電池（２１１）の識別情報が含まれるか否かを判定する判定手段（１３０）と、
前記判定手段（１３０）により前記二次電池（２１１）の識別情報が前記不良電池情報に含まれると判定されたとき、前記二次電池（２１１）の不良を通知する通知制御手段（１４０）と、を有する携帯機器（１００）を駆動する電池パックとした。
【００１６】
尚、上記括弧内の参照符号は、理解を容易にするために付したものであり、一例にすぎず、図示の態様に限定されるものではない。
【発明の効果】
【００１７】
本発明によれば、二次電池に不良が発生したことを利用者に通知することで安全性を向上させることができる。
【図面の簡単な説明】
【００１８】
【図１】本発明の携帯機器のハードウェア構成の一例を示す図である。
【図２】本発明の携帯機器の機能構成を説明する図である。
【図３】本実施形態の携帯機器に搭載さたれ電池パックを説明するための図である。
【図４】監視ＩＣのハードウェア構成を示す図である。
【図５】本実施形態の携帯機器の動作を説明するフローチャートである。
【図６】通知制御部による通知の一例を示す図である。
【図７】地図情報と共に通知メッセージが表示された例を示す図である。
【発明を実施するための形態】
【００１９】
本発明は、不良ＩＤ情報配信機関側から配信される不良ＩＤ情報を受信すると二次電池の監視ＩＣに記憶された電池ＩＤが不良ＩＤ情報に含まれるか否かを判断し、電池ＩＤが不良ＩＤ情報に含まれる場合は二次電池が不良であることを警告するメッセージを表示する。
（実施形態）
以下に図面を参照して本発明の実施形態について説明する。図１は、本発明の携帯機器のハードウェア構成の一例を示す図である。
【００２０】
携帯機器１００は、それぞれバスＢで相互に接続されている操作装置１１、表示装置１２、ドライブ装置１３、補助記憶装置１４、メモリ装置１５、演算処理装置１６および通信装置１７で構成される。
【００２１】
操作装置１１は、携帯機器１００を操作するためのものであり、携帯機器１００を操作するための各種信号を入力される。操作装置１１は、具体的には例えば電源キーやテンキー等の操作ボタン等である。表示装置１２は、例えば液晶ディスプレイ等であり、携帯機器１００の操作を案内する案内画面や、携帯機器１００で実行されている処理の進捗状況等が表示される。通信装置１７は、携帯端末１００が他の携帯機器や基地局等と通信を行うための装置であり、具体的には例えば携帯機器１００に設けられたアンテナ及びアンテナからデータを送受信するための処理等を担う。
【００２２】
本発明の通知プログラムは、携帯機器１００を制御する各種プログラムの少なくとも一部である。通知プログラムは、例えば記録媒体１８の配布や、通信装置１７を介した受信などによって提供される。通知プログラムを記録した記録媒体１８は、例えばメモリカード等の携帯機器１００により読み取り可能な記録媒体である。
【００２３】
また、通知プログラムを記録した記録媒体１８がドライブ装置１３にセットされると、通知プログラムは記録媒体１８からドライブ装置１３を介して補助記憶装置１４にインストールされる。通信装置１７を介して受信された通知プログラムは、補助記憶装置１４にインストールされる。
【００２４】
補助記憶装置１４は、インストールされた通知プログラムを格納すると共に、必要なファイル、データ等を格納する。メモリ装置１５は、携帯機器１００の起動時に補助記憶装置１４から、通知プログラムを読み出して展開する。そして、演算処理装置１６はメモリ装置１５に展開された通知プログラムに従って、後述するような各種処理を実現している。
【００２５】
次に、図２を参照して本実施形態の携帯機器１００の機能構成を説明する。図２は、本発明の携帯機器の機能構成を説明する図である。
【００２６】
本実施形態の携帯機器１００は、不良ＩＤ情報受信部１１０、ＩＤ情報要求部１２０、不良判定部１３０、通知制御部１４０を有する。
【００２７】
不良ＩＤ情報受信部１１０は、不良ＩＤ情報配信機関に配置されているセンタサーバ（図示せず、以下、センタサーバ）から配信される不良ＩＤ情報を受信する。以下に本実施形態の不良ＩＤ情報について説明する。通常、携帯機器１００による通信サービスを提供するキャリア側は、二次電池が市場に出荷された後に不良が発生した場合、不良が発生した不良品の二次電池を特定するための情報を携帯機器側へ配信する。不良品の二次電池を特定する情報が、不良ＩＤ情報である。不良ＩＤ情報には、不良品と思われる二次電池を識別する情報（例えば製造番号等）が含まれる。例えば製造番号１番から１００番までの二次電池に不良が発生したと思われる場合、センタサーバは不良ＩＤ情報として、製造番号１番〜１００番を配信する。
【００２８】
ＩＤ情報要求部１２０は、携帯機器１００に実装された後述する電池パック２００に対して、電池パック２００内に記憶されている二次電池のＩＤ情報の取得を要求する。二次電池のＩＤ情報とは、二次電池を識別するための情報であり、例えば二次電池の製造番号等である。二次電池のＩＤ情報は、電池パック２００の有する記憶装置等に予め格納されている。
【００２９】
不良判定部１３０は、不良ＩＤ情報受信部１１０により受信した不良ＩＤ情報と、ＩＤ情報要求部１２０が取得したＩＤ情報とを照合し、不良ＩＤ情報にＩＤ情報が含まれるか否かを判定する。
【００３０】
通知制御部１４０は、不良判定部１３０により不良ＩＤ情報にＩＤ情報が含まれると判定された場合に、二次電池の不良を通知する制御を行う。本実施形態の通知制御部１４０は、例えば携帯機器１００の表示装置１２に二次電池の不良を示す警告を表示させ、二次電池の不良を通知する。
【００３１】
次に、本実施形態の携帯機器１００の動作に先立ち、携帯機器１００に搭載された電池パック２００について説明する。図３は、本実施形態の携帯機器に搭載さたれ電池パックを説明するための図である。
【００３２】
電池パック２００は、例えばリチウムイオン電池等の二次電池２１１が複数接続された電池ユニット２１０を有する。尚本実施形態では、電池ユニット２１０は二次電池２１１が直列に接続された構成としたが、これに限定されない。
【００３３】
電池パック２００は、電池パック２００が搭載される携帯機器１００と接続するための正極端子２１２及び負極端子２１３と、電池ユニット２１０との間に、監視ＩＣ２２０及び保護ＩＣ２３０を有する。
【００３４】
監視ＩＣ２２０は、電池ユニット２１０の状態を監視し、電池ユニット２１０の状態情報を取得する。そして監視ＩＣ２２０は、携帯機器１００からの状態情報の参照要求を受けると、取得した状態情報を携帯機器１００へ提供する。
【００３５】
監視ＩＣ２２０は、電源端子ＶＤＤ及び基準電位端子ＶＳＳと、電圧検知端子ＶＢＡＴ１と、ひと組の電流検知端子ＶＲＳＰ及びＶＲＳＭと、通信端子ＳＩＯとを有する。監視ＩＣ２２０は、電源端子ＶＤＤを介して、保護ＩＣ２３０において電池電圧からレギュレートされた電圧を受け取る。基準電位端子ＶＳＳは、電池ユニット２１０の負極へ接続されている。
【００３６】
監視ＩＣ２２０は、電池ユニット２１０の正極へ接続された電圧検知端子ＶＢＡＴ１を介して電池ユニット２１０の出力電圧を検出することができる。一方の電流検知端子ＶＲＳＭは二次電池２１１の負極へ接続され、更に、監視ＩＣ２２０の外部で抵抗Ｒ１１を介してもう一方の電流検知端子ＶＲＳＰへ接続されている。
【００３７】
監視ＩＣ２２０は、電流検知端子ＶＲＳＰ及びＶＲＳＭを介して、外部抵抗Ｒ１１に流れる電流、即ち、電池ユニット２１０の充放電電流を検出する。また本実施形態の監視ＩＣ２２０は、電池ユニット２１０の内部ショートを検出する。通信端子ＳＩＯは、保護ＩＣ２３０を介して、携帯機器１００との通信に使用される外部端子２１４へ接続されている。本実施形態の監視ＩＣ２２０は、通信端子ＳＩＯ及び保護ＩＣ２３０を介して携帯機器１００と通信を行う。監視ＩＣ２２０の詳細は後述する。
【００３８】
保護ＩＣ２３０は、電池パック２００を過充電、過放電から保護する。保護ＩＣ２３０は、電池パック２００の充放電を遮断するＭＯＳトランジスタＭ１１、Ｍ１２のゲートにそれぞれ接続される端子ＤＯＵＴと端子ＣＯＵＴとを有する。保護ＩＣ２３０は過放電或いは過電流を検出したときＤＯＵＴ出力をローレベルとしてＭＯＳトランジスタＭ１１を遮断し、過充電検出回路で過充電を検出したときＣＯＵＴ出力をローレベルとしてＭＯＳトランジスタＭ１２を遮断する。
【００３９】
以下に図４を参照して監視ＩＣ２２０の詳細を説明する。図４は、監視ＩＣのハードウェア構成を示す図である。図４において、監視ＩＣ２２０は、ＣＰＵ（Ｃｅｎｔｒａｌ  Ｐｒｏｃｅｓｓｉｎｇ  Ｕｎｉｔ）２２１、センサ部２２２、ＲＯＭ（Ｒｅａｄ  Ｏｎｌｙ  Ｍｅｍｏｒｙ）２２３、ＥＥＰＲＯＭ（Ｅｌｅｃｔｒｉｃａｌｌｙ  Ｅｒａｓａｂｌｅ  ａｎｄ  Ｐｒｏｇｒａｍａｂｌｅ  ＲＯＭ）２２４、シリアルインターフェース（Ｉ／Ｆ）２２５を有する。
【００４０】
ＣＰＵ２２１は、監視ＩＣ２２０の各部を制御する。センサ部２２２は、電池ユニット２１０の電圧、電流及び温度を検出する。
【００４１】
ＲＯＭ２２３には、ＣＰＵ２２１が監視ＩＣ２２０の各部を制御するために実行するプログラムが格納されている。また本実施形態のＥＥＰＲＯＭ２２４には、電池ユニット２１０を識別するためのＩＤ情報が格納されている。尚本実施形態のＩＤ情報は、複数の二次電池２１１から構成される電池ユニット２１０を識別する情報としたが、これに限定されない。例えば電池パック２００に実装される二次電池が１つの場合は、ＩＤ情報は二次電池を識別するための情報であっても良い。ＥＥＰＲＯＭ２２４には、センサ部２２２によって検出された電池ユニット２１０の電圧、電流及び温度の各パラメータ等の情報が格納される。
【００４２】
シリアルＩ／Ｆ２２５は、通信端子ＳＩＯを介して携帯機器１００と通信を行う。例えば監視ＩＣ２２０は、携帯機器１００からＩＤ情報を要求されると、ＣＰＵ２２１がＲＯＭ２２３からＩＤ情報を読み出し、通信端子ＳＩＯを介してＩＤ情報を携帯機器１００へ送信する。
【００４３】
監視ＩＣ２２０において、ＣＰＵ２２１、センサ部２２２、ＲＯＭ２２３、ＥＥＰＲＯＭ２２４及びシリアルＩ／Ｆ２２５は、バス２２６によって接続されており、夫々の間でデータ及びプログラムをやり取りすることができる。
【００４４】
またセンサ部２２２は、温度センサ回路２２２ａ、電圧センサ回路２２２ｂ、電流センサ回路２２２ｃ、マルチプレクサ２２２ｄ、アナログ−デジタル（Ａ／Ｄ）変換回路２２２ｅを有する。
【００４５】
温度センサ回路２２２ａは、電池ユニット２１０の温度を検出する。電圧センサ回路２２２ｂは、電池ユニット２１０へ接続された電圧検知端子ＶＢＡＴ１を介して、電池ユニット２１０の出力電圧を検出する。電流センサ回路２２２ｃは、電流検知端子ＶＲＳＰ及びＶＲＳＭを介して、外部抵抗Ｒ１１に流れる電流、即ち、電池ユニット２１０の充放電電流を検出する。温度センサ回路２２２ａ、電圧センサ回路２２２ｂ及び電流センサ回路２２２ｃの各出力はマルチプレクサ２２２ｄへ接続されており、マルチプレクサ２２２ｄによって１つの信号として出力される。Ａ／Ｄ変換回路２２２ｅは、マルチプレクサ２２２ｄによって出力された信号をアナログからデジタルに変換する。
【００４６】
次に、図５を参照して本実施形態の携帯機器１００の動作を説明する。図５は、本実施形態の携帯機器の動作を説明するフローチャートである。
【００４７】
本実施形態の携帯機器１００は、センタサーバから不良ＩＤ情報が配信されると、不良ＩＤ情報受信部１１０により不良ＩＤ情報を受信する（ステップＳ５１）。次に携帯機器１００は、ＩＤ情報要求部１２０により、電池パック２００の監視ＩＣ２２０に対してＩＤ情報を要求し、監視ＩＣ２２０からＩＤ情報を取得する（ステップＳ５２）。
【００４８】
携帯機器１００は、ＩＤ情報を取得すると、不良判定部１３０によりＩＤ情報と不良ＩＤ情報とを照合し、ＩＤ情報が不良ＩＤ情報に含まれるか否かを判定する（ステップＳ５３）。
【００４９】
ステップＳ５３において、ＩＤ情報が不良ＩＤ情報に含まれる場合、通知制御部１４０は、携帯機器１００の搭載された電池パック２００の電池ユニット２１０を不良品であることを通知する（ステップＳ５４）。ステップＳ５６において、ＩＤ情報が不良ＩＤ情報に含まれない場合、携帯機器１００に搭載された電池パック２００の電池ユニット２１０は不良品ではないものとして、通知制御部１４０は通知を行わない。
【００５０】
以下に、図６を参照して本実施形態の通知制御部１４０による通知方法について説明する。図６は、通知制御部による通知の一例を示す図である。図６（Ａ）は通知制御部による通知が行われなかった場合の例であり、図６（Ｂ）は通知制御部による通知が行われた場合の例を示している。
【００５１】
電池パック２００から取得されたＩＤ情報が不良ＩＤ情報に含まれていない場合、電池ユニット２１０は不良品ではない。よって通知制御部１４０は、図６（Ａ）に示すように、表示装置１２に表示される画面１２Ａに不良品であることを示すメッセージ等を表示しない。
【００５２】
電池パック２００から取得されたＩＤ情報が不良ＩＤ情報に含まる場合、電池ユニット２１０は不良品に該当する。よって通知制御部１４０は、図６（Ｂ）へ示すように、表示装置１２に表示される画面１２Ｂに、電池ユニット２１０が不良であることを知らせる通知メッセージを表示させる。
【００５３】
本実施形態では、以上の構成により、市場に出荷された後に携帯機器１００に搭載された電池ユニット２１０（二次電池２１１）に不良が発生した場合に、確実に不良が発生したことを利用者に通知することができる。よって利用者が不良品の電池ユニット２１０を使用し続けることを防止でき、使用上の安全性を向上させることができる。また本実施形態によれば、利用者は、二次電池の不良について意識しなくても二次電池が不良品であることを把握でき、便利である。
【００５４】
尚本実施形態の通知制御部１４０は、電池ユニット２１０（二次電池２１１）の不良を通知する際に、最寄りのサービスセンタを示す地図情報と共に通知メッセージを表示しても良い。図７は、地図情報と共に通知メッセージが表示された例を示す図である。
【００５５】
図７に示す画面１２Ｃは、表示装置１２に通知メッセージと共に地図情報１２Ｄとが表示されている。地図情報１２Ｄを表示させる場合、本実施形態の不良ＩＤ情報受信部１１０は、不良ＩＤ情報と共に最寄りのサービスセンタの位置を示す地図情報１２Ｄを受信する。
【００５６】
地図情報１２Ｄを受信する際には、携帯機器１００はセンタサーバへ携帯機器１００の位置情報を送信する。センタサーバは、携帯機器１００の位置情報に基づき、携帯機器１００の最寄りのサービスセンタの地図情報１２Ｄを携帯機器１００へ送信する。地図情報１２Ｄには、携帯機器１００の現在地を示す現在地情報１２ｅと、サービスセンタの位置を示す位置情報１２ｆとが含まれることが好ましい。
【００５７】
このように、通知メッセージと共に最寄りのサービスセンタの位置情報を表示させることで、利用者は速やかにサービスセンタへ向かうことができる。
【００５８】
また本実施形態では、通知制御部１４０は、表示装置１２に通知メッセージ等を表示させて通知するものとしたが、これに限定されない。例えば通知制御部１４０は、電池パック２００から取得されたＩＤ情報が不良ＩＤ情報に含まると判定されると、携帯機器１００の有するバイブレーション機能により電池ユニット２１０の不良を通知しても良い。バイブレーション機能とは、例えば携帯機器１００に内蔵された振動発生用モータ等により実現される。また通知制御部１４０は、警告音を鳴らすことで電池ユニット２１０の不良を通知しても良い。
【００５９】
以上、実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００６０】
１００  携帯機器
１１０  不良ＩＤ情報受信部
１２０  ＩＤ情報要求部
１３０  不良判定部
１４０  通知制御部
２００  電池パック
２１０  電池ユニット
２１１  二次電池
２２０  監視ＩＣ
【図１】
2011018560.tif 000003
【図２】
2011018560.tif 000004
【図３】
2011018560.tif 000005
【図４】
2011018560.tif 000006
【図５】
2011018560.tif 000007
【図６】
2011018560.tif 000008
【図７】
2011018560.tif 000009